(57)【特許請求の範囲】
【請求項１】
コンテンツ提供サーバからテレビ番組と連動するコンテンツを取得して表示し、該コンテンツに対するユーザの認識度を算出する表示装置であって、
前記コンテンツを受け付ける受付部と、
前記受付部が前記コンテンツに対するポインタを受け付けると、該ポインタに基づいてコンテンツの種類を検出する検出部と、
前記検出部が前記コンテンツの種類を検出すると、その検出されたコンテンツの種類に基づいて前記認識度を算出する算出部と、を含む表示装置。
【請求項２】
請求項１に記載の表示装置において、
前記ポインタは、前記コンテンツ提供サーバから取得したＨＴＭＬ文書に含まれる、表示装置。
【請求項３】
請求項１または２に記載の表示装置において、
前記算出部は、
前記コンテンツの種類に関連づけて、その種類のコンテンツの評価値であるコンテンツ評価値を格納するコンテンツ評価値格納部と、
前記検出部が前記コンテンツの種類を検出すると、該コンテンツの種類に関連づけられたコンテンツ評価値を前記コンテンツ評価値格納部から読み取り、該コンテンツ評価値に基づいて前記認識度を算出する評価部と、を含む表示装置。
【請求項４】
請求項３に記載の表示装置において、
前記コンテンツは、前記テレビ番組と連動したＷｅｂ画面上で表示され、
前記算出部は、
前記Ｗｅｂ画面の大きさと表示位置を検出するＷｅｂ画面情報検出部をさらに含み、
前記評価部は、前記Ｗｅｂ画面情報検出部にて検出されたＷｅｂ画面の大きさと表示位置に基づいて、前記Ｗｅｂ画面の評価値であるＷｅｂ画面評価値を算出し、該Ｗｅｂ画面評価値と前記コンテンツ評価値とに基づいて前記認識度を算出する、表示装置。
【請求項５】
請求項４に記載の表示装置において、
前記評価部は、前記Ｗｅｂ画面を表示する表示画面の大きさに対する前記Ｗｅｂ画面の大きさの割合を検出し、その検出された割合と前記Ｗｅｂ画面の表示位置とに基づいて、前記Ｗｅｂ画面評価値を算出する、表示装置。
【請求項６】
請求項４に記載の表示装置において、
前記Ｗｅｂ画面の表示位置に関連づけて、該表示位置の評価値である位置評価値を格納する位置評価値格納部を、さらに含み、
前記評価部は、前記Ｗｅｂ画面情報検出部にて検出されたＷｅｂ画面の表示位置を、該表示位置と関連づけられた位置評価値に変換し、前記Ｗｅｂ画面の大きさと前記位置評価値とに基づいて前記Ｗｅｂ画面評価値を算出する、表示装置。
【請求項７】
請求項６に記載の表示装置において、
前記評価部は、前記Ｗｅｂ画面を表示する表示画面の大きさに対する前記Ｗｅｂ画面の大きさの割合を検出し、その検出された割合と前記位置評価値とに基づいて、前記Ｗｅｂ画面評価値を算出する、表示装置。
【請求項８】
請求項４ないし７のいずれか１項に記載の表示装置において、
前記Ｗｅｂ画面情報検出部は、実際に表示されている前記Ｗｅｂ画面の大きさを検出する、表示装置。
【請求項９】
請求項４ないし８のいずれか１項に記載の表示装置において、
前記算出部は、前記Ｗｅｂ画面の表示時間を測定する測定部をさらに含み、
前記評価部は、前記認識度を、さらに、前記測定部にて測定されたＷｅｂ画面の表示時間に基づいて算出する、表示装置。
【請求項１０】
請求項１ないし９のいずれか１項に記載の表示装置において、
前記コンテンツに対するユーザの認識度を管理する管理装置と通信する通信部と、
前記算出部にて算出された認識度を前記通信部から前記管理装置へ送信する送信制御部と、をさらに含む、表示装置。
【請求項１１】
コンテンツ提供サーバからテレビ番組と連動するコンテンツを取得して表示し該コンテンツに対するユーザの認識度を算出する表示装置が行う評価方法であって、
前記コンテンツを受け付ける受付ステップと、
前記コンテンツに対するポインタが受け付けられると、該ポインタに基づいてコンテンツの種類を検出する検出ステップと、
前記検出されたコンテンツの種類に基づいて前記認識度を算出する算出ステップと、を含む評価方法。
【請求項１２】
請求項１１に記載の評価方法において、
前記ポインタは、前記コンテンツ提供サーバから取得したＨＴＭＬ文書に含まれる、評価方法。
【請求項１３】
請求項１１または１２に記載の評価方法において、
前記表示装置は、前記コンテンツの種類に関連づけて、その種類のコンテンツの評価値であるコンテンツ評価値を格納するコンテンツ評価値格納部を含み、
前記算出ステップは、
前記検出されたコンテンツの種類に関連づけられたコンテンツ評価値を前記コンテンツ評価値格納部から読み取るコンテンツ評価値読取ステップと、
その読み取られたコンテンツ評価値に基づいて前記認識度を算出する評価ステップと、を含む、評価方法。
【請求項１４】
請求項１３に記載の評価方法において、
前記コンテンツは、前記テレビ番組と連動したＷｅｂ画面上で表示され、
前記算出ステップは、
前記Ｗｅｂ画面の大きさと表示位置を検出するＷｅｂ画面情報検出ステップをさらに含み、
前記評価ステップでは、前記検出されたＷｅｂ画面の大きさと表示位置に基づいて、前記Ｗｅｂ画面の評価値であるＷｅｂ画面評価値を算出し、該Ｗｅｂ画面評価値と前記コンテンツ評価値とに基づいて前記認識度を算出する、評価方法。
【請求項１５】
請求項１４に記載の評価方法において、
前記評価ステップでは、前記Ｗｅｂ画面を表示する表示画面の大きさに対する前記Ｗｅｂ画面の大きさの割合を検出し、その検出された割合と前記Ｗｅｂ画面の表示位置とに基づいて、前記Ｗｅｂ画面評価値を算出する、評価方法。
【請求項１６】
請求項１４に記載の評価方法において、
前記表示装置は、前記Ｗｅｂ画面の表示位置に関連づけて、該表示位置の評価値である位置評価値を格納する位置評価値格納部を、さらに含み、
前記評価ステップでは、前記検出されたＷｅｂ画面の表示位置を、該表示位置と関連づけられた位置評価値に変換し、前記Ｗｅｂ画面の大きさと前記位置評価値とに基づいて前記Ｗｅｂ画面評価値を算出する、評価方法。
【請求項１７】
請求項１６に記載の評価方法において、
前記評価ステップでは、前記Ｗｅｂ画面を表示する表示画面の大きさに対する前記Ｗｅｂ画面の大きさの割合を検出し、その検出された割合と前記位置評価値とに基づいて、前記Ｗｅｂ画面評価値を算出する、評価方法。
【請求項１８】
請求項１４ないし１７のいずれか１項に記載の評価方法において、
前記Ｗｅｂ画面情報検出ステップでは、実際に表示されている前記Ｗｅｂ画面の大きさを検出する、評価方法。
【請求項１９】
請求項１４ないし１８のいずれか１項に記載の評価方法において、
前記算出ステップは、前記Ｗｅｂ画面の表示時間を測定する測定ステップをさらに含み、
前記評価ステップでは、前記認識度を、さらに、前記測定されたＷｅｂ画面の表示時間に基づいて算出する、評価方法。
【請求項２０】
請求項１１ないし１９のいずれか１項に記載の評価方法において、
前記算出された認識度を管理装置へ送信する送信制御ステップと、をさらに含む、評価方法。
【請求項２１】
コンテンツ提供サーバからテレビ番組と連動するコンテンツを取得するコンピュータに、該コンテンツに対するユーザの認識度を算出する評価処理を実行させるプログラムであって、
前記コンテンツを受け付ける受付処理と、
前記コンテンツに対するポインタが受け付けられると、該ポインタに基づいてコンテンツの種類を検出する検出処理と、
前記検出されたコンテンツの種類に基づいて前記認識度を算出する算出処理と、を含む評価処理を、前記コンピュータに実行させるプログラム。
【請求項２２】
請求項２１に記載のプログラムにおいて、
前記ポインタは、前記コンテンツ提供サーバから取得したＨＴＭＬ文書に含まれる、プログラム。
【発明の詳細な説明】
【技術分野】
【０００１】
本発明は、表示装置、評価方法およびプログラムに関し、特には、テレビ番組と連動して表示されるコンテンツに対するユーザの認識度を算出する表示装置、評価方法およびプログラムに関する。
【背景技術】
【０００２】
従来、インターネットを介して入手されたＷｅｂ画面と、ＤＶＤなどの記録媒体に記録されたテレビ番組と、を同時に表示可能な画像表示装置が知られている（例えば、特許文献１（特開２００２−１７５０６８号公報）参照）。このような画像表示装置は、Ｗｅｂ画面とテレビ番組とを用いた新たなサービスを可能にする。
【０００３】
テレビ放送とブロードバンド通信（以下「ＢＢ」と称する。）の融合および連携による新しいサービスの提供および付加価値の創造は、近い将来、様々な形で実現されると考えられている。
【０００４】
例えば、大型デジタルテレビの表示画面、または、テレビ機能を有したＰＣ（パーソナルコンピュータ）の表示画面に、テレビ画面（以下「ＴＶ番組」とも称する。）と、このＴＶ番組に連動するＷｅｂ画面（以下「連携Ｗｅｂ画面」とも称する。）と、を同時に表示するサービスが考えられている。
【０００５】
このサービスでは、ユーザが、放送中のＴＶ番組を試聴しているとき、または、録画された後に再生されているＴＶ番組を試聴しているとき、その試聴されているＴＶ番組に関係する情報が、Ｗｅｂ画面に表示される。
【０００６】
このＷｅｂ画面に表示される情報、すなわち、コンテンツは、例えば、ＴＶ番組の内容に関する情報からＴＶ番組に関連する商品の広告まで示し、多岐に渡る。
【０００７】
また、このサービスは、以下のような利点を有する。
【０００８】
現在、視聴者は、録画されたＴＶ番組を再生して視聴する場合がある。この場合、ＴＶ番組中に挿入されたＣＭは、早送りされ、ユーザに視聴されない可能性がある。
【０００９】
しかしながら、ＴＶ番組とＷｅｂ画面が同時に表示されれば、Ｗｅｂ画面は、ＴＶ番組とともにユーザにて視聴される可能性が高い。よって、Ｗｅｂ画面が広告として用いられれば、広告効果が低くなることを防止可能になる。
【００１０】
図２８は、ＴＶ番組と連携Ｗｅｂ画面とを同時に表示する表示システムの一例を示したブロック図である。
【００１１】
図２８において、この表示システムは、ＴＶ番組を放送するＴＶ局１と、関連情報データベース（ＤＢ）２と、サービスサーバ（コンテンツ提供サーバ）３と、表示装置１０４とを含む。
【００１２】
サービスサーバ３は、ＴＶ番組表、および、ＴＶ局１から提供されたＴＶ番組の詳細情報に基づいて、ＴＶ番組ごとに、そのＴＶ番組に関連する関連情報を収集する。
【００１３】
なお、関連情報は、例えば、有料情報と、物販情報と、広告とを含む。また、関連情報の収集は、サービスサーバ３を運営している運営者にて実行されてもよい。
【００１４】
サービスサーバ３またはサービスサーバ３の運営者は、ＴＶ番組ごとに、その関連情報を示す詳細情報コンテンツを作成し、その作成された詳細情報コンテンツを関連情報データベース２に格納する。なお、詳細情報コンテンツの種類は限定されず、テキスト、動画、静止画のコンテンツでもよいし、ストリーム型のコンテンツでもよい。
【００１５】
さらに、サービスサーバ３またはサービスサーバ３の運営者は、各詳細情報コンテンツのＵＲＬと、その詳細情報コンテンツに対応するＴＶ番組を識別するための識別情報（チャンネルと放送日時）と、を関連づけて、関連情報データベース２に格納する。
【００１６】
また、サービスサーバ３またはサービスサーバ３の運営者は、その収集された関連情報に基づいて、ＴＶ番組の概要情報を示した概要情報コンテンツを作成し、その作成された概要情報コンテンツを関連情報データベース２に格納する。
【００１７】
概要情報コンテンツのＵＲＬは、サービスサーバ３と契約したユーザに提供される。
【００１８】
ユーザは、その概要情報コンテンツのＵＲＬを、表示装置１０４に入力する。
【００１９】
表示装置１０４は、概要情報コンテンツのＵＲＬにアクセスして、サービスサーバ３から概要情報コンテンツを取得し、その取得された概要情報コンテンツをＷｅｂ画面上で表示する。表示装置１０４は、一定時間ごとに概要情報コンテンツのＵＲＬにアクセスして、概要情報コンテンツを更新する。
【００２０】
この状況下で、表示装置１０４のユーザは、ＴＶのチャンネルの変更時あるいはＴＶ番組の視聴開始時に、視聴ＴＶ番組に関する情報を得たくなると、表示装置１０４の情報取得ボタンを押下する。なお、視聴ＴＶ番組は、現在ＴＶ局１で放送中のＴＶ番組でもよいし、録画再生中のＴＶ番組でもよい。
【００２１】
表示装置１０４は、情報取得ボタンが押下されると、視聴ＴＶ番組の識別情報（チャンネルと放送日時）を、サービスサーバ３に送出する。
【００２２】
サービスサーバ３は、その識別情報を受け付けると、その識別情報に関連づけられた詳細情報コンテンツのＵＲＬを、関連情報データベース２から読み取り、その読み取られたＵＲＬを表示装置１０４に返す。
【００２３】
表示装置１０４は、そのＵＲＬを受け付けると、その受け付けられたＵＲＬにアクセスして、サービスサーバ３を介して詳細情報コンテンツを取得し、その取得された詳細情報コンテンツを連携Ｗｅｂ画面上で表示する。この詳細情報コンテンツは、視聴ＴＶ番組に関する関連情報（例えば、ＴＶ番組関連グッズの通販情報またはＴＶ番組関連商品の広告）を示す。
【００２４】
図２９は、ＴＶ番組と連携Ｗｅｂ画面とを同時に表示する表示システムの複数の例を示した説明図である。図２９において、連携の方式Ｂは、図２８にて示された表示システムに対応する。
【００２５】
図３０は、ＴＶ画面と連携Ｗｅｂ画面とを同時に表示する一例を示した説明図である。
【００２６】
図３０において、連携Ｗｅｂ画面１０２ａおよび１０２ｂは、ＴＶ番組を表示するＴＶ画面１０２ｃに固定的に括りつけられる。このため、視聴者は、自己が好むように、連携Ｗｅｂ画面の大きさおよび位置を自由に変更できない。よって、視聴者が連携Ｗｅｂ画面の大きさおよび位置を自由に変更可能であることが望ましい。
【００２７】
しかしながら、視聴者が連携Ｗｅｂ画面の大きさおよび位置を自由に変更できると、連携Ｗｅｂ画面が、視聴者が認識できないように、変更されてしまう可能性がある。
【００２８】
よって、連携Ｗｅｂ画面が表示されていても、その連携Ｗｅｂ画面上で表示されたコンテンツが、視聴者に、どの程度認識されたかは不明となる。
【００２９】
従来、Ｗｅｂ画面上のコンテンツが視聴者によってどのように画面上で表示されているか、また拡大、縮小されたか知りうる手段が無かった。
【特許文献１】特開２００２−１７５０６８号公報
【発明の開示】
【発明が解決しようとする課題】
【００３０】
Ｗｅｂ画面にて示されるコンテンツは、テキスト、静止画および動画  等各種存在する。
【００３１】
従来のナローバンドインターネットでは、その伝送能力に限界があったため、コンテンツの多くはテキストか静止画であった。
【００３２】
一方、数Ｍｂｐｓ以上の通信速度を有するブロードバンドの普及により、コンテンツは、より視聴者に印象を与えられる動画コンテンツが多くなってきている。このようなブロードバンドの普及で、Ｗｅｂ広告も、より印象度の高い動画ストリーム、動画ファイルのコンテンツが増大することとなる。
【００３３】
これらの動画コンテンツを視聴者がＷｅｂ画面上に表示された広告として視聴している場合、視聴の程度、すなわちＷｅｂ画面上での表示ウインドウの大きさ、画面上での位置、視聴時間を測定し、広告等の該当コンテンツの認識度を評価することはできなかった。
【００３４】
本発明の目的は、テレビ番組と連動して表示されるコンテンツに対するユーザの認識度を高い精度で算出することが可能な表示装置、評価方法およびプログラムを提供することである。
【課題を解決するための手段】
【００３５】
上記の目的を達成するため、本発明の表示装置は、コンテンツ提供サーバからテレビ番組と連動するコンテンツを受け付けて表示し、該コンテンツに対するユーザの認識度を算出する表示装置であって、前記コンテンツを受け付ける受付部と、前記受付部が前記コンテンツを受け付けると、該コンテンツの種類を検出する検出部と、前記検出部が前記コンテンツの種類を検出すると、その検出されたコンテンツの種類に基づいて前記認識度を算出する算出部とを含む。
【００３６】
また、本発明の評価方法は、コンテンツ提供サーバからテレビ番組と連動するコンテンツを受け付けて表示し該コンテンツに対するユーザの認識度を算出する表示装置が行う評価方法であって、前記コンテンツを受け付ける受付ステップと、前記受け付けられたコンテンツの種類を検出する検出ステップと、前記検出されたコンテンツの種類に基づいて前記認識度を算出する算出ステップとを含む。
【００３７】
コンテンツに対するユーザの認識度は、コンテンツの種類に応じて変更する可能性が高い。例えば、静止画のコンテンツより動画のコンテンツの方が、ユーザの認識度は高くなることが多い。
【００３８】
上記の発明によれば、コンテンツに対するユーザの認識度は、そのコンテンツの種類に基づいて算出される。このため、コンテンツの種類に応じて、コンテンツに対するユーザの認識度を算出することが可能になる。よって、テレビ番組と連動して表示されるコンテンツに対するユーザの認識度を高い精度で算出することが可能となる。
【００３９】
なお、前記表示装置は、前記コンテンツの種類に関連づけて、その種類のコンテンツの評価値であるコンテンツ評価値を格納するコンテンツ評価値格納部を含み、検出されたコンテンツの種類に関連づけられたコンテンツ評価値を前記コンテンツ評価値格納部から読み取り、該コンテンツ評価値に基づいて前記認識度を算出することが望ましい。
【００４０】
上記の発明によれば、格納部にて、コンテンツの種類と、その種類のコンテンツの評価値であるコンテンツ評価値とを管理することが可能となる。
【００４１】
また、前記コンテンツは、前記テレビ番組と連動したＷｅｂ画面上で表示され、また、前記Ｗｅｂ画面の大きさと表示位置が検出され、それら検出されたＷｅｂ画面の大きさおよび表示位置に基づいて、前記Ｗｅｂ画面の評価値であるＷｅｂ画面評価値が算出され、該Ｗｅｂ画面評価値と前記コンテンツ評価値とに基づいて前記認識度が算出されることが望ましい。
【００４２】
コンテンツは、大きいＷｅｂ画面上で表示されるほど、そのコンテンツに対するユーザの認識度が高くなる可能性が大きくなり、また、Ｗｅｂ画面の表示位置が目立つ位置であるほど、そのコンテンツに対するユーザの認識度が高くなる可能性が大きくなる。
【００４３】
このため、上記の発明によれば、ストリーム型のコンテンツに対するユーザの認識度を、高い精度で算出することが可能となる。
【００４４】
また、前記Ｗｅｂ画面を表示する表示画面の大きさに対する前記Ｗｅｂ画面の大きさの割合が検出され、その検出された割合と前記Ｗｅｂ画面の表示位置とに基づいて、前記Ｗｅｂ画面評価値が算出されることが望ましい。
【００４５】
表示画面の大きさに対するＷｅｂ画面の大きさの割合が高くなるほど、そのコンテンツに対するユーザの認識度が高くなる可能性が大きくなることが多い。
【００４６】
このため、上記の発明によれば、コンテンツに対するユーザの認識度を、より高い精度で算出することが可能となる。
【００４７】
また、前記表示装置は、前記Ｗｅｂ画面の表示位置に関連づけて、該表示位置の評価値である位置評価値を格納する位置評価値格納部をさらに含み、前記検出されたＷｅｂ画面の表示位置を、該表示位置と関連づけられた位置評価値に変換し、前記Ｗｅｂ画面の大きさと前記位置評価値とに基づいて前記Ｗｅｂ画面評価値を算出することが望ましい。
【００４８】
例えば、表示位置の目立ち具合に応じて、評価値が設定されると、その評価値は、コンテンツの目立ち具合を示す。
【００４９】
このため、上記の発明によれば、コンテンツに対するユーザの認識度を、より高い精度で算出することが可能となる。
【００５０】
また、前記Ｗｅｂ画面を表示する表示画面の大きさに対する前記Ｗｅｂ画面の大きさの割合を検出し、その検出された割合と前記位置評価値とに基づいて、前記Ｗｅｂ画面評価値を算出することが望ましい。
【００５１】
上記の発明によれば、コンテンツに対するユーザの認識度を、より高い精度で算出することが可能となる。
【００５２】
また、実際に表示されている前記Ｗｅｂ画面の大きさを検出することが望ましい。
【００５３】
上記の発明によれば、例えば、他のＷｅｂ画面が上に重ねられて、実際に表示されているＷｅｂ画面が小さくなっても、その小さくなった画面の大きさに基づいて、コンテンツに対するユーザの認識度を算出することが可能になる。このため、コンテンツに対するユーザの認識度を、より高い精度で算出することが可能となる。
【００５４】
また、前記Ｗｅｂ画面の表示時間が測定され、前記認識度が、さらに、その測定されたＷｅｂ画面の表示時間に基づいて算出されることが望ましい。
【００５５】
Ｗｅｂ画面の表示時間が長くなるほど、そのコンテンツに対するユーザの認識度が高くなることが多い。
【００５６】
このため、上記の発明によれば、コンテンツに対するユーザの認識度を、より高い精度で算出することが可能となる。
【００５７】
また、前記算出された認識度を、前記コンテンツに対するユーザの認識度を管理する管理装置へ送信することが望ましい。
【００５８】
上記の発明によれば、管理装置は、コンテンツに対するユーザの認識度を、自動的に収集することが可能になる。
【００５９】
また、本発明のプログラムは、コンテンツ提供サーバからテレビ番組と連動するコンテンツを受け付けるコンピュータに、該コンテンツに対するユーザの認識度を算出する評価処理を実行させるプログラムであって、前記コンテンツを受け付ける受付処理と、前記受け付けられたコンテンツの種類を検出する検出処理と、前記検出されたコンテンツの種類に基づいて前記認識度を算出する算出処理と、を含む評価処理を、前記コンピュータに実行させる。
【００６０】
上記の発明によれば、上記評価方法をコンピュータに実行させることが可能になる。
【発明の効果】
【００６１】
本発明によれば、コンテンツの種類に応じて、コンテンツに対するユーザの認識度を算出することが可能になる。よって、テレビ番組と連動して表示されるコンテンツに対するユーザの認識度を高い精度で算出することが可能となる。
【発明を実施するための最良の形態】
【００６２】
以下、本発明の実施例を、図面を参照して説明する。
【００６３】
図１は、本発明の一実施例の評価システムを示したブロック図である。なお、図１において、図２８に示したものと同一のものには同一符号を付してある。図１に示した実施例では、図２８に示した表示装置１０４のかわりに、表示装置４が用いられる。
【００６４】
図１において、本評価システムは、ＴＶ局１と、関連情報ＤＢ２と、サービスサーバ３と、表示装置４とを含む。
【００６５】
表示装置４は、例えば、ＴＶ番組を受信可能なＰＣである。
【００６６】
表示装置４は、ＴＶ局１から提供されたＴＶ番組を受信し、その受信されたＴＶ番組を表示画面４ａに表示する。
【００６７】
また、表示装置４は、インターネット等の通信回線５を介して、サービスサーバ３と通信する。
【００６８】
表示装置４は、サービスサーバ３からＴＶ番組と連動する詳細情報コンテンツ（以下、単に「コンテンツ」と称する。）を取得し、その取得されたコンテンツを示すＷｅｂ画面を表示画面４ａに表示する。なお、このＷｅｂ画面は、ＴＶ局１から提供されるＴＶ番組と連動する。また、このＷｅｂ画面の表示面積（大きさ）および表示位置は、視聴者によって変更可能である。
【００６９】
具体的には、表示装置４は、情報取得ボタン（不図示）が押下されると、視聴ＴＶ番組の識別情報（チャンネルと放送日時）を、サービスサーバ３に送出する。
【００７０】
サービスサーバ３は、その識別情報を受け付けると、その識別情報に関連づけられたコンテンツのＵＲＬを、関連情報データベース２から読み取り、その読み取られたＵＲＬを表示装置４に返す。
【００７１】
表示装置４は、そのＵＲＬを受け付けると、その受け付けられたＵＲＬにアクセスして、サービスサーバ３を介してコンテンツを取得し、その取得されたコンテンツをＷｅｂ画面上で表示する。このコンテンツは、視聴ＴＶ番組に関する関連情報（例えば、ＴＶ番組関連グッズの通販情報またはＴＶ番組関連商品の広告）を示す。
【００７２】
図２は、表示装置４の一例を示したブロック図である。
【００７３】
図２において、表示装置４は、デジタル放送受信系回路４１と、情報通信処理系回路４２と、表示系回路４３と、バス４４と、ＬＣＤ（表示部）４５と、スピーカ４６とを含む。デジタル放送受信系回路４１と、情報通信処理系回路４２と、表示系回路４３とは、例えばバス４４を介して相互に接続されている。
【００７４】
デジタル放送受信系回路４１は、ＴＶ局１から送信されたデジタル地上波のＴＶ番組、あるいはＴＶ局１から送信されたＢＳデジタルのＴＶ番組とを受信する。
【００７５】
デジタル放送受信系回路４１は、ＵＨＦアンテナ６と接続されたデジタル地上波チューナ４１ａと、ＢＳアンテナ７と接続されたＢＳデジタルチューナ４１ｂと、ＣＡＳ（視聴制限システム）４１ｃと、ＤＥＭＵＸ（多重信号分離器）４１ｄと、サブＣＰＵ４１ｅとを含む。
【００７６】
情報通信処理系回路４２は、通信回線（ＮＷ：ネットワーク）５を介してサービスサーバ３と通信して、ＴＶ番組と連動するコンテンツを取得し、その取得されたコンテンツを示すＷｅｂ画面を作成する。また、情報通信処理系回路４２は、そのＷｅｂ画面で表示されるコンテンツに対するユーザの認識度を算出する。
【００７７】
情報通信処理系回路４２は、通信回線５と接続されたＬＡＮ回路４２ａと、入力部８と接続されたＵＳＢインターフェイス４２ｂと、ＨＤＤ４２ｃと、ＨＤＤ制御部４２ｄと、制御回路４２ｅと、Ｖ−ＲＡＭ４２ｆと、ＲＡＭ４２ｇと、メインＣＰＵ４２ｈと、グラフィック回路４２ｉとを含む。
【００７８】
表示系回路４３は、デジタル放送受信系回路４１にて受信されたＴＶ番組が有する映像と、情報通信処理回路４２にて作成されたＷｅｂ画面とを、ＬＣＤ４５に表示する。また、表示系回路４３は、その受信されたＴＶ番組が有する音声をスピーカ４６から出力する。
【００７９】
表示系回路４３は、ＡＣＣデコーダ４３ａと、ＭＰＥＧ２デコーダ４３ｂと、画像合成回路（以下「合成回路」と称する。）４３ｃとを含む。
【００８０】
デジタル地上波チューナ４１ａは、ＵＨＦアンテナ６を介してＴＶ番組（デジタルストリーム）を受信し、その受信されたＴＶ番組をＣＡＳ４１ｃに提供する。
【００８１】
ＢＳデジタルチューナ４１ｂは、ＢＳアンテナ７を介してＴＶ番組（デジタルストリーム）を受信し、その受信されたＴＶ番組をＣＡＳ４１ｃに提供する。
【００８２】
ＣＡＳ４１ｃは、デジタル地上波チューナ４１ａまたはＢＳデジタルチューナ４１ｂから提供されたＴＶ番組のうち、表示装置４のユーザが視聴可能なＴＶ番組のみをＤＥＭＵＸ４１ｄに提供する。
【００８３】
ＤＥＭＵＸ４１ｄは、ＣＡＳ４１ｃから提供されたＴＶ番組（デジタルストリーム）から、画像情報と音声情報を分離する。ＤＥＭＵＸ４１ｄは、その分離された音声情報を、ＡＣＣデコーダ４３ａに提供し、また、その分離された画像情報を、ＭＰＥＧ２デコーダ４３ｂに提供する。
【００８４】
サブＣＰＵ４１ｅは、バス４４と接続し、また、ＤＥＭＵＸ４１ｄとＭＰＥＧ２デコーダ４３ｂとを制御する。
【００８５】
ＬＡＮ回路４２ａは、通信回線（ネットワーク）５を介してサービスサーバ３と通信し、また、バス４４と接続する。ＬＡＮ回路４２ａは、サービスサーバ３から、ＴＶ番組と連動するコンテンツを受け付けると、その受け付けられたコンテンツを、バス４４および制御回路４２ｅを介して、メインＣＰＵ４２ｈに提供する。
【００８６】
ＵＳＢインターフェイス４２ｂは、キーボードまたはマウス等の入力部８と接続し、また、バス４４と接続する。
【００８７】
ＨＤＤ４２ｃは、コンピュータにて読み取り可能な記録媒体の一例であり、種々のデータおよび種々のプログラム等を記録する。
【００８８】
ＨＤＤ制御部４２ｄは、ＨＤＤ４２ｃを制御し、また、バス４４と接続する。
【００８９】
制御回路４２ｅは、バス４４と接続し、また、メインＣＰＵ４２ｈと接続する。
【００９０】
Ｖ−ＲＡＭ４２ｆは、ビデオＲＡＭである。
【００９１】
ＲＡＭ４２ｇは、メインＣＰＵ４２ｈの作業用ＲＡＭである。
【００９２】
メインＣＰＵ４２ｈは、表示装置４全体を制御する。
【００９３】
メインＣＰＵ４２ｈは、コンピュータの一例であり、ＨＤＤ４２ｃに記録されたプログラムを読み取り、その読み取られたプログラムを実行する。メインＣＰＵ４２ｈは、そのプログラムを実行することによって、種々の機能を実現する。
【００９４】
例えば、メインＣＰＵ４２ｈは、コンテンツを受け付けると、その受け付けられたコンテンツのＷｅｂ画面上でのレイアウトを解析する。メインＣＰＵ４２ｈは、その解析結果を、グラフィック回路４２ｉに提供する。
【００９５】
また、メインＣＰＵ４２ｈは、コンテンツの種類を検出する。メインＣＰＵ４２ｈは、その検出された種類に基づいて、そのコンテンツに対するユーザの認識度を算出する。メインＣＰＵ４２ｈは、詳細情報コンテンツに対するユーザの認識度を算出すると、その算出結果をＨＤＤ４２ｃに蓄積する。
【００９６】
また、メインＣＰＵ４２ｈは、コンテンツに対するユーザの認識度を、ＬＡＮ回路４２ａを介して、サービスサーバ３に送信する。
【００９７】
グラフィック回路４２ｉは、メインＣＰＵ４２ｈから、コンテンツのＷｅｂ画面上でのレイアウトの解析結果を受け付けると、その受け付けられた解析結果に基づいて、コンテンツを示すＷｅｂ画面の画像情報を生成する。グラフィック回路４２ｉは、その生成されたＷｅｂ画面の画像情報を、合成回路４３ｃに提供する。
【００９８】
ＡＣＣデコーダ４３ａは、ＤＥＭＵＸ４１ｄから音声情報を受け付けると、その受け付けられた音声情報をデコードする。ＡＣＣデコーダ４３ａは、そのデコードされた音声情報をスピーカ４６に提供する。スピーカ４６は、そのデコードされた音声情報を受け付けると、その受け付けられた音声情報に応じた音声を出力する。
【００９９】
ＭＰＥＧ２デコーダ４３ｂは、ＤＥＭＵＸ４１ｄから画像情報を受け付けると、その受け付けられた画像情報をデコードしてＴＶ番組の画面を示すＴＶ番組画面情報を生成する。
【０１００】
ＭＰＥＧ２デコーダ４３ｂは、その生成されたＴＶ番組画面情報を、合成回路４３ｃに提供する。
【０１０１】
合成回路４３ｃは、グラフィック回路４２ｉから提供されたＷｅｂ画面の画像情報と、ＭＰＥＧ２デコーダ４３ｂから提供されたＴＶ番組画面情報とに基づいて、Ｗｅｂ画面とＴＶ番組との表示の整合および合成を実施して、Ｗｅｂ画面とＴＶ番組とを１画面にまとめた表示画面情報を生成する。
【０１０２】
合成回路４３ｃは、その生成された表示画面情報をＬＣＤ４５に提供する。ＬＣＤ４５は、その表示画面情報を受け付けると、その受け付けられた表示画面情報に応じた画面、具体的には、Ｗｅｂ画面とＴＶ番組とを示す画面を表示する。
【０１０３】
図３は、表示装置４の主要なソフトウェアを示した説明図である。なお、図３において、図２に示したものと同一のものには同一符号を付してある。
【０１０４】
表示装置４は、ハードウェア群４Ａと、ハードウェア群４Ａを制御するドライバー群４Ｂと、特定の分野で必ず必要とされる共通機能を提供するミドルウェア群４Ｃと、個々のアプリケーションソフトからなるアプリケーションソフトウェア群４Ｄと、ＯＳ４Ｅと、ＡＰＩ４Ｆとを含む。以下、アプリケーションソフトウェアを「アプリ」または「ＡＰＬ」と称する。
【０１０５】
ハードウェア群４Ａは、ＴＶチューナ４Ａ１と、ＬＡＮ回路４２ａと、ＨＤＤ４２ｃと、ＵＳＢインターフェイス４２ｂとを含む。ＴＶチューナ４Ａ１は、デジタル地上波チューナ４１ａと、ＢＳデジタルチューナ４１ｂとを含む。
【０１０６】
ドライバー群４Ｂは、ＴＶチューナ４Ａ１を制御するＴＶハード制御ドライバー４Ｂ１と、ＬＡＮ回路４２ａを制御するＮＷ制御ドライバー４Ｂ２と、ＨＤＤ４２ｃを制御するＨＤＤ制御ドライバー４Ｂ３と、ＵＳＢインターフェイス４２ｂを制御するマウス制御ドライバー４Ｂ４とを含む。
【０１０７】
ミドルウェア群４Ｃは、ＴＶ制御ソフトウェア４Ｃ１と、Ｗｅｂ表示ソフトウェア４Ｃ２と、ＴＶ・通信連携制御ソフトウェア４Ｃ３と、ウインドウ画面処理ソフトウェア４Ｃ４と、マウス等入力制御ソフトウェア４Ｃ５と、Ｗｅｂコンテンツ内容検出ソフトウェア４Ｃ６と、ウインドウ位置検出ソフトウェア４Ｃ７とを含む。
【０１０８】
以下、ＴＶ制御ソフトウェアを「ＴＶ制御」と称し、Ｗｅｂ表示ソフトウェアを「Ｗｅｂ表示」と称し、ＴＶ・通信連携制御ソフトウェアを「ＴＶ・通信連携制御」と称し、ウインドウ画面処理ソフトウェアを「ウインドウ画面処理」と称し、マウス等入力制御ソフトウェアを「入力制御」と称し、Ｗｅｂコンテンツ内容検出ソフトウェアを「ＷＣＤＧ（ウインドウコンテンツディスプレイゲート）」と称し、ウインドウ位置検出ソフトウェアを「ＷＨＣＧ」（ウインドウハンドルコマンドゲート）と称する。
【０１０９】
ＴＶ制御４Ｃ１は、ＴＶ番組の表示を制御する。Ｗｅｂ表示４Ｃ２は、Ｗｅｂ表示を制御する。ＴＶ・通信連携制御４Ｃ３は、ＴＶ番組と通信（Ｗｅｂ画面）の連携を制御する。ウインドウ画像処理４Ｃ４は、ウインドウの画像処理を制御する。入力制御４Ｃ５は、マウス等の入力を制御する。ＷＣＤＧ４Ｃ６は、Ｗｅｂ画面に表示されるコンテンツの種類を検出する。ＷＨＣＧ４Ｃ７は、Ｗｅｂ画面の大きさおよび位置などのＷｅｂ画面に関する情報を検出する。
【０１１０】
アプリ群４Ｄは、ＴＶ表示ＡＰＬ４Ｄ１と、表示コンテンツ計算ＡＰＬ４Ｄ２と、表示面積計算ＡＰＬ４Ｄ３と、表示ポイント蓄積・報告ＡＰＬ４Ｄ４と、連携制御ＡＰＬ（ＷＥＡＰ）４Ｄ５とを含む。
【０１１１】
なお、図３では、例えば、一般的なハードウェアであるＬＣＤ４５、スピーカ４６およびキーボードと、それらを制御するためのドライバー等は、割愛されている。
【０１１２】
ドライバー群４Ｂと、ミドルウェア群４Ｃと、アプリ群４Ｄと、ＯＳ４Ｅと、ＡＰＩ４Ｆとは、ＨＤＤ４２ｃに記録される。
【０１１３】
メインＣＰＵ４２ｈは、ＨＤＤ４２ｃから、これらのソフトウェアを読み取り、その読み取られたソフトウェアを実行して種々の機能を実現する。
【０１１４】
図４は、メインＣＰＵ４２ｈの機能、具体的には、コンテンツに対するユーザの認識度を算出する機能を機能ブロックとして示したブロック図である。なお、図４において、図２に示したものと同一のものには同一符号を付してある。また、図４において、説明の簡略化を図るため、認識度を算出する機能にあまり関係しない機能は、省略されている。
【０１１５】
図４において、ＨＤＤ４２ｃは、ＣＥＴＢＬ（コンテンツ評価テーブル）４２ｃ１と、ＣＥＶＤ（コンテンツ評価値テーブル）４２ｃ２と、ＰＥＴＢＬ（位置評価テーブル）４２ｃ３と、ＰＥＶＤ（Ｗｅｂ画面評価値テーブル）４２ｃ４と、ＷＤＴＥＤ（総合評価データテーブル）４２ｃ５とを含む。
【０１１６】
メインＣＰＵ４２ｈは、Ｗｅｂ画面作成部４２ｈ１と、ＷＣＤＧ（検出部）４２ｈ２と、コンテンツ評価値決定部４２ｈ３と、ＷＨＣＧ（Ｗｅｂ画面情報検出部）４２ｈ４と、表示時間測定部４２ｈ５と、Ｗｅｂ画面評価値決定部４２ｈ６と、ＷＥＡＰ（認識度算出部）４２ｈ７と、表示制御部４２ｈ８と、送信制御部４２ｈ９とを含む。
【０１１７】
なお、算出部４２Ａは、ＣＥＴＢＬ４２ｃ１と、ＣＥＶＤ４２ｃ２と、ＰＥＴＢＬ４２ｃ３と、ＰＥＶＤ４２ｃ４と、ＷＤＴＥＤ４２ｃ５と、コンテンツ評価値決定部４２ｈ３と、ＷＨＣＧ４２ｈ４と、表示時間測定部４２ｈ５と、Ｗｅｂ画面評価値決定部４２ｈ６と、ＷＥＡＰ４２ｈ７とを含む。
【０１１８】
また、評価部４２Ｂは、コンテンツ評価値決定部４２ｈ３と、Ｗｅｂ画面評価値決定部４２ｈ６と、ＷＥＡＰ４２ｈ７とを含む。
【０１１９】
ＣＥＴＢＬ４２ｃ１は、コンテンツ評価値格納部の一例である。
【０１２０】
ＣＥＴＢＬ４２ｃ１は、コンテンツの種類と、その種類のコンテンツの評価値であるコンテンツ評価値と、を互いに関連づけて格納する。
【０１２１】
図５は、ＣＥＴＢＬ４２ｃ１の一例を示した説明図である。
【０１２２】
図５において、ＣＥＴＢＬ４２ｃ１は、コンテンツの種類５ａと、その種類を識別するための対象表記（記号）５ｂと、その種類コンテンツの評価値である付与点数（コンテンツ評価値）５ｃとを、互いに関連づけて格納する。
【０１２３】
図５では、例えば、テキスト（種類）５ａと、Ｔｅｘｔまたは下記以外（対象表記）５ｂと、３．０点（付与点数）５ｃとが、互いに関連づけられている。また、テロップ（種類）５ａと、ＭＡＲＱＵＥＥ（対象表記）５ｂと、４．０点（付与点数）５ｃとが、互いに関連づけられている。
【０１２４】
なお、表示装置４は、ＣＥＴＢＬ４２ｃ１を、サービスサーバ３からダウンロードして入手することが望ましい。
【０１２５】
図４に戻って、ＣＥＶＤ４２ｃ２は、コンテンツを表示するＷｅｂ画面を作成しているＡＰＬ（例えば、ブラウザ）の識別情報と、そのコンテンツの付与点数と、を互いに関連づけて格納する。
【０１２６】
図６は、ＣＥＶＤ４２ｃ２の一例を示した説明図である。
【０１２７】
図６において、ＣＥＶＤ４２ｃ２は、ＡＰＬの識別情報（ＡＰＬ＃）６ａと、付与点数６ｂと、を互いに関連づけて格納する。
【０１２８】
図４に戻って、ＰＥＴＢＬ４２ｃ３は、位置評価値格納部の一例である。
【０１２９】
ＰＥＴＢＬ４２ｃ３は、Ｗｅｂ画面の表示位置と、その表示位置の評価値（以下「位置評価値」と称する。）と、を互いに関連づけて格納する。
【０１３０】
図７は、ＰＥＴＢＬ４２ｃ３の一例を示した説明図である。
【０１３１】
図７において、ＰＥＴＢＬ４２ｃ３では、表示画面４ａが６つのエリア４ａ１〜４ａ６に分けられ、エリアごとに位置評価値が設定されている。本実施例では、目立つ（使用者が認識しやすい）と思われるエリアほど、高い位置評価値が設定されている。
【０１３２】
なお、表示装置４は、ＣＥＴＢＬ４２ｃ１を、サービスサーバ３からダウンロードして入手することが望ましい。
【０１３３】
図４に戻って、ＰＥＶＤ４２ｃ４は、コンテンツを表示するＷｅｂ画面を作成しているＡＰＬの識別情報と、そのＷｅｂ画面の評価値と、を互いに関連づけて格納する。
【０１３４】
図８は、ＰＥＶＤ４２ｃ４の一例を示した説明図である。
【０１３５】
図８において、ＰＥＶＤ４２ｃ４は、ＡＰＬの識別情報（ＡＰＬ＃）８ａと、Ｗｅｂ画面の評価値８ｂと、を互いに関連づけて格納する。
【０１３６】
図４に戻って、ＷＤＴＥＤ４２ｃ５は、コンテンツを表示するＷｅｂ画面を作成しているＡＰＬの識別情報と、そのコンテンツに対する視聴者の認識度（総合評価データ）と、を関連づけて格納する。なお、コンテンツに対する視聴者の認識度は、そのコンテンツの付与点数と、そのコンテンツを表示するＷｅｂ画面の評価値と、そのコンテンツの表示時間に基づいて算出される。
【０１３７】
図９は、ＷＤＴＥＤ４２ｃ５の一例を示した説明図である。
【０１３８】
図９において、ＷＤＴＥＤ４２ｃ５は、ＡＰＬの識別情報（ＡＰＬ＃）９ａと、認識度９ｂと、を互いに関連づけて格納する。
【０１３９】
図４に戻って、Ｗｅｂ画面作成部４２ｈ１は、例えば、ブラウザ等のＡＰＬにて実現される。
【０１４０】
Ｗｅｂ画面作成部４２ｈ１は、サービスサーバ３からＬＡＮ回路４２ａを介して提供されたコンテンツを受け付ける。このコンテンツは、ＨＴＭＬで記載され、また、テレビ番組と連動して表示される。
【０１４１】
また、Ｗｅｂ画面作成部４２ｈ１は、ＵＳＢインターフェイス４２ｂから、そのＷｅｂ画面の位置と大きさを指定するＷｅｂ画面指定情報を受け付ける。
【０１４２】
Ｗｅｂ画面作成部４２ｈ１は、その受け付けられたコンテンツおよびＷｅｂ画面指定情報に基づいて、そのコンテンツを表示するＷｅｂ画面を示すＷｅｂ画面情報（ＷＨＣ：ウインドウハンドルコマンド）を作成する。
【０１４３】
図１０は、ＷＨＣの要部を示した説明図である。
【０１４４】
図１０において、ＷＨＣは、コマンド名１０ａ、重なり状態１０ｂ、利用ＡＰＬ名１０ｃ、イベント１０ｄ、ベース座標１０ｅおよび長狭１０ｆを含む。
【０１４５】
コマンド名１０ａは、ＷＨＣの名称を示す。
【０１４６】
重なり状態１０ｂは、ＷＨＣにて規定されるＷｅｂ画面の重なり状態を示す。
【０１４７】
利用ＡＰＬ名１０ｃは、ＷＨＣを発行したＡＰＬの名称（識別情報）を示す。
【０１４８】
イベント１０ｄは、ＷＨＣが発行される元となったイベントを示す。
【０１４９】
ベース座標１０ｅは、ＷＨＣにて規定されるＷｅｂ画面の基準座標を示す。
【０１５０】
長狭１０ｆは、ＷＨＣにて規定されるＷｅｂ画面の縦および横の長さを示す。
【０１５１】
図１１は、ベース座標１０ｅと長狭１０ｆを説明するための説明図である。
【０１５２】
図１１において、ベース座標（Ｘｂ、Ｙｂ）１０ｅは、ＷＨＣにて規定されるＷｅｂ画面１１ａの向かって左上角の座標を示し、長狭１０ｆのＸｓは、Ｗｅｂ画面１１ａの横の長さを示し、長狭１０ｆのＹｓは、Ｗｅｂ画面１１ａの縦の長さを示す。
【０１５３】
図４に戻って、Ｗｅｂ画面作成部４２ｈ１は、その作成されたＷＨＣを、表示制御部４２ｈ８に出力する。なお、表示制御部４２ｈ８は、例えば、ＯＳにて実現される。
【０１５４】
また、Ｗｅｂ画面作成部４２ｈ１は、ＨＴＭＬで記載されたコンテンツと、そのコンテンツを表示させるＡＰＬを示すＡＰＬ識別情報とを、ＷＣＤＧ４２ｈ２に提供する。
【０１５５】
ＷＣＤＧ４２ｈ２は、検出部の一例であり、Ｗｅｂ画面作成部４２ｈ１から提供されたコンテンツの種類、および、ＡＰＬ識別情報を検出する。
【０１５６】
ここで、コンテンツの種類の検出を説明する。
【０１５７】
例えば、ＷＣＤＧ４２ｈ２は、まず、Ｗｅｂ画面作成部４２ｈ１から提供されたＨＴＭＬの表示コンテンツポインタを入手する。
【０１５８】
続いて、ＷＣＤＧ４２ｈ２は、その入手された表示コンテンツポインタから、ＨＴＭＬ文書の種類を示す表記（例えば、テキストのコンテンツを示す「Ｔｅｘｔ」、テロップ形式のコンテンツを示す「ＭＡＲＱＵＥＥ」）を検出する。
【０１５９】
なお、コンテンツが動画の場合、ＷＣＤＧ４２ｈ２は、ＨＴＭＬ言語中にプラグインされている表記を検出する。例えば、ＷＣＤＧ４２ｈ２は、ＥＭＢＥＤ関数に続く、表示すべきソースの属性を示すＦｌａｓｈ（アニメーションを示す）またはｍｏｖｉｅ（動画画像を示す）を検出する。
【０１６０】
ＷＣＤＧ４２ｈ２は、その検出されたＡＰＬ識別情報、および、その検出された表記を、コンテンツ評価値決定部４２ｈ３に提供する。
【０１６１】
コンテンツ評価値決定部４２ｈ３は、ＡＰＬ識別情報および表記を受け付けると、その受け付けられた表記に関連づけられた付与点数をＣＥＴＢＬ４２ｃ１から読み取る。コンテンツ評価値決定部４２ｈ３は、その読み取られた付与点数と、その受け付けられたＡＰＬ識別情報と、を関連づけてＣＥＶＤ４２ｃ２に格納する。
【０１６２】
ＷＨＣＧ４２ｈ４は、Ｗｅｂ画面情報検出部の一例である。
【０１６３】
ＷＨＣＧ４２ｈ４は、Ｗｅｂ画面作成部４２ｈ１から出力されたＷＨＣを入手する。ＷＨＣＧ４２ｈ４は、その入手されたＷＨＣを、表示時間測定部４２ｈ５とＷｅｂ画面評価値決定部４２ｈ６とに提供する。
【０１６４】
表示時間測定部４２ｈ５は、その提供されたＷＨＣに基づいて、Ｗｅｂ画面の表示時間を測定する。表示時間測定部４２ｈ５は、その測定されたＷｅｂ画面の表示時間を、ＷＥＡＰ４２ｈ７に提供する。
【０１６５】
例えば、表示時間測定部４２ｈ５は、あるＡＰＬから発行されたＷＨＣのコマンド名１０ａがＯｐｅｎからＣｌｏｓｅに変わるまでの時間を測定し、その測定された時間を、そのＡＰＬにて表示されたＷｅｂ画面の表示時間として、ＷＥＡＰ４２ｈ７に提供する。
【０１６６】
Ｗｅｂ画面評価値決定部４２ｈ６は、ＷＨＣＧ４２ｈ４から提供されたＷＨＣ（Ｗｅｂ画面の大きさおよび表示位置）に基づいて、Ｗｅｂ画面の評価値を決定する。
【０１６７】
例えば、Ｗｅｂ画面評価値決定部４２ｈ６は、その提供されたＷＨＣからベース座標１０ｅを読み取る。
【０１６８】
続いて、Ｗｅｂ画面評価値決定部４２ｈ６は、その読み取られたベース座標１０ｅを含むエリアを、ＰＥＴＢＬ４２ｃ３から選定する。
【０１６９】
続いて、Ｗｅｂ画面評価値決定部４２ｈ６は、その選定されたエリアに関連づけられた位置評価値を、ＰＥＴＢＬ４２ｃ３から読み取る。
【０１７０】
また、Ｗｅｂ画面評価値決定部４２ｈ６は、その提供されたＷＨＣから長狭１０ｆを読み取る。
【０１７１】
続いて、Ｗｅｂ画面評価値決定部４２ｈ６は、その読み取られた長狭（Ｘｓ、Ｙｓ）１０ｆに基づいて、Ｗｅｂ画面の面積を算出する。例えば、Ｗｅｂ画面評価値決定部４２ｈ６は、Ｘｓ×Ｙｓを計算してＷｅｂ画面の面積を算出する。
【０１７２】
続いて、Ｗｅｂ画面評価値決定部４２ｈ６は、予め取得していた表示画面４ａの面積に対するＷｅｂ画面の面積の割合を検出する。なお、Ｗｅｂ画面評価値決定部４２ｈ６は、予め取得していた表示画面４ａに含まれるドット数に対する、Ｗｅｂ画面に含まれるドット数の割合を算出して、予め取得していた表示画面４ａの面積に対するＷｅｂ画面の面積の割合を検出してもよい。
【０１７３】
Ｗｅｂ画面評価値決定部４２ｈ６は、その算出された割合と、その読み取られた位置評価値と、に基づいて、Ｗｅｂ画面の評価値を決定する。
【０１７４】
例えば、Ｗｅｂ画面評価値決定部４２ｈ６は、ＡＰＬごとに、面積割合と位置評価値とを掛け合わせ、その結果を、そのＡＰＬのＷｅｂ画面の評価値とする。
【０１７５】
Ｗｅｂ画面評価値決定部４２ｈ６は、ＡＰＬ識別情報と、そのＡＰＬ識別情報にて特定されるＡＰＬのＷｅｂ画面の評価値と、を互いに関連づけてＰＥＶＤ４２ｃ４に格納する。
【０１７６】
ＷＥＡＰ４２ｈ７は、ＣＥＶＤ４２ｃ２に格納された付与点数と、ＰＥＶＤ４２ｃ４に格納されたＷｅｂ画面の評価値と、表示時間測定部４２ｈ５から提供されたＷｅｂ画面の表示時間と、に基づいて、コンテンツに対する視聴者の認識度を算出する。
【０１７７】
例えば、ＷＥＡＰ４２ｈ７は、ＡＰＬごとに、付与点数×Ｗｅｂ画面の評価値×Ｗｅｂ画面の表示時間を算出する。ＷＥＡＰ４２ｈ７は、ＡＰＬごとに、その算出結果（コンテンツに対する視聴者の認識度）をＷＤＴＥＤ４２ｃ５に格納する。
【０１７８】
表示制御部４２ｈ８は、ＷＨＣを受け付けると、その受け付けられたＷＨＣを分析して、その分析結果をグラフィック回路４２ｉに提供する。
【０１７９】
送信制御部４２ｈ９は、ＷＤＴＥＤ４２ｃ５に格納された認識度を定期的に読み出し、その読み出された認識度をサービスサーバ３に送信する。
【０１８０】
次に、動作の概要を説明する。
【０１８１】
本実施例の動作は、
（１）コンテンツの種類に応じたコンテンツ評価値を決定するコンテンツ評価値決定動作と、
（２）Ｗｅｂ画面のＷｅｂ画面評価値を決定するＷｅｂ画面評価値決定動作と、
（３）コンテンツを総合的に評価してコンテンツに対する視聴者の認識度を算出する認識度算出動作と、を含む。
【０１８２】
図１２は、コンテンツ評価値決定動作の概要を説明するための説明図である。なお、図１２において、図２に示したものと同一のものには同一符号を付してある。
【０１８３】
コンテンツ評価値決定動作では、メインＣＰＵ４２ｈは、サービスサーバ３からＬＡＮ回路４２ａを介してＨＴＭＬで記載されたコンテンツを受信すると、ＷＣＤＧを実行して、そのコンテンツの種類を、静止表示、テロップ表示、動画表示等に分類する。
【０１８４】
メインＣＰＵ４２ｈ（コンテンツ評価値決定部４２ｈ３）は、その分類された種類に対応した点数（付与点数）を、ＣＥＴＢＬ４２ｃ１から読み取る。
【０１８５】
メインＣＰＵ４２ｈ（コンテンツ評価値決定部４２ｈ３）は、その読み取られた付与点数を、そのコンテンツを実行するＡＰＬを示すＡＰＬ識別情報と関連づけてＣＥＶＤ４２ｃ２に格納する。
【０１８６】
図１３は、Ｗｅｂ画面評価値決定動作の概要を説明するための説明図である。なお、図１３において、図２に示したものと同一のものには同一符号を付してある。
【０１８７】
Ｗｅｂ画面評価値決定動作では、メインＣＰＵ４２ｈは、サービスサーバ３からＬＡＮ回路４２ａを介してＨＴＭＬで記載されたコンテンツを受信すると、その受信されたＨＴＭＬの内容を分析し、そのＨＴＭＬをデコードする。
【０１８８】
メインＣＰＵ４２ｈは、そのデコード結果をグラフィック回路４２ｉに提供する。グラフィック回路４２ｉは、そのデコード結果に基づいて、コンテンツを表示するＷｅｂ画面の画像情報を生成する。
【０１８９】
メインＣＰＵ４２ｈは、入力部８からＵＳＢユーザインターフェイス４２ｂを介して、Ｗｅｂ画面の大きさと表示位置を示すウインドウ操作情報を受け付ける。
【０１９０】
メインＣＰＵ４２ｈは、ＷＨＣＧを実行して、Ｗｅｂ画面の大きさと表示位置を取得する。
【０１９１】
メインＣＰＵ４２ｈ（Ｗｅｂ画面評価値決定部４２ｈ６）は、その取得された表示位置に対応する位置評価値をＰＥＴＢＬ４２ｃ３から取得し、Ｗｅｂ画面の大きさと位置評価値に基づいて、Ｗｅｂ画面評価値を決定する。
【０１９２】
メインＣＰＵ４２ｈ（Ｗｅｂ画面評価値決定部４２ｈ６）は、そのＷｅｂ画面評価値を、そのＷｅｂ画面を実行するＡＰＬを示すＡＰＬ識別情報と関連づけてＰＥＶＤ４２ｃ４に格納する。
【０１９３】
図１４は、認識度算出動作の概要を説明するための説明図である。なお、図１４において、図２に示したものと同一のものには同一符号を付してある。
【０１９４】
認識度算出動作では、メインＣＰＵ４２ｈは、ＷＥＡＰを実行して、ＣＥＶＤ４２ｃ２に格納された付与点数と、ＰＥＶＤ４２ｃ４に格納されたＷｅｂ画面の評価値と、に基づいて、コンテンツに対する視聴者の認識度を算出する。
【０１９５】
メインＣＰＵ４２ｈは、ＡＰＬごとに、その算出結果（コンテンツに対する視聴者の認識度）をＷＤＴＥＤ４２ｃ５に格納する。
【０１９６】
メインＣＰＵ４２ｈ（送信制御部４２ｈ９）は、一定時間（例えば、一日または一週間）ごと、あるいは、認識度を要求する旨の認識度要求を外部のサーバから受け付けると、ＷＤＴＥＤ４２ｃ５に格納された認識度を、ＬＡＮ回路４２ａ（通信部）経由で、指定されたサーバに送出する。
【０１９７】
次に、動作を説明する。
【０１９８】
図１５は、コンテンツ評価値決定動作を説明するための説明図である。なお、図１５において、図４に示したものと同一のものには同一符号を付してある。
【０１９９】
ＷＣＤＧ４２ｈ２は、コンテンツの種類、および、そのコンテンツを実行するＡＰＬを識別するためのＡＰＬ識別情報を検出する。
【０２００】
具体的には、ＷＣＤＧ４２ｈ２は、Ｗｅｂ画面作成部４２ｈ１から提供されたＨＴＭＬの表示コンテンツポインタ、および、Ｗｅｂ画面作成部４２ｈ１から提供された、そのＨＴＭＬのコンテンツを実行するＡＰＬを識別するためのＡＰＬ識別情報を入手する。
【０２０１】
続いて、ＷＣＤＧ４２ｈ２は、その入手された表示コンテンツポインタから、ＨＴＭＬ文書の種類を示す表記を検出する。
【０２０２】
例えば、ＷＣＤＧ４２ｈ２は、静止画像を示すＴｅｘｔおよびＪＰＥＧ、テロップ表示を示すＭＡＲＱＵＥＥ関数、アニメーションを示すＦＬＡＳＨ、および、動画画像を示すｍｏｖｉｅを検出する。
【０２０３】
なお、ＷＣＤＧ４２ｈ２は、ＥＭＢＥＤ関数に続く記載からＦＬＡＳＨおよびｍｏｖｉｅを検出する。
【０２０４】
ＷＣＤＧ４２ｈ２は、その検出されたＡＰＬ識別情報、および、その検出された表記を、コンテンツ評価値決定部４２ｈ３に提供する。
【０２０５】
コンテンツ評価値決定部４２ｈ３は、ＡＰＬ識別情報および表記を受け付けると、その受け付けられた表記に関連づけられた付与点数をＣＥＴＢＬ４２ｃ１から読み取る。
【０２０６】
ＣＥＴＢＬ４２ｃ１では、通常のＴｅｘｔおよびＪＰＥＧ等の静止画に対して３．０点が関連づけられ、テロップ表示に対して４．０点が関連づけられ、アニメーションに対して４．５点が関連づけられ、動画画像に対して５．０点が関連づけられている。
【０２０７】
このように、視聴者の認識度が高いと思われるコンテンツの種類ほど、高い点数が関連づけられている。なお、視聴者の認識度が高いと思われるコンテンツの種類ほど、高い点数が関連づけられていれば、各種類に関連づけられる点数は、上記に限らず適宜変更可能である。
【０２０８】
コンテンツ評価値決定部４２ｈ３は、その読み取られた付与点数と、その受け付けられたＡＰＬ識別情報と、を関連づけてＣＥＶＤ４２ｃ２に格納する。
【０２０９】
なお、ＷＣＤＧ４２ｈ２が、１つのＨＴＭＬ文書から複数種類のコンテンツを検出した場合、コンテンツ評価値決定部４２ｈ３は、それら複数種類のコンテンツに対する付与点数を読み取り、その読み取られた付与点数の平均値を計算する。ＷＣＤＧ４２ｈ２が、その平均値と、その受け付けられたＡＰＬ識別情報と、を関連づけてＣＥＶＤ４２ｃ２に格納する。
【０２１０】
複数種類のコンテンツに対する評価方法として、単純に平均値を計算する場合の他、更にそれらの面積評価等で重み付けする方法も有りうる。
【０２１１】
図１６は、Ｗｅｂ画面評価値決定動作を説明するための説明図である。なお、図１６において、図４に示したものと同一のものには同一符号を付してある。
【０２１２】
また、図１７は、Ｗｅｂ画面評価値決定動作を説明するためのフローチャートである。
【０２１３】
以下、図１６および図１７を参照して、Ｗｅｂ画面評価値決定動作を説明する。
【０２１４】
入力部８が特定のＡＰＬ（例えば、ＡＰＬ＃１）の起動用ボタンの押下を受け付けるか、または、特定のＡＰＬを起動するためのイベント（その他のイベント）が発生すると、メインＣＰＵ４２ｈは、ステップ１７０１を実行する。
【０２１５】
ステップ１７０１では、メインＣＰＵ４２ｈは、その特定のＡＰＬを起動してＷｅｂ画面作成部４２ｈ１を立ち上げる。Ｗｅｂ画面作成部（例えば、ＡＰＬ＃１）４２ｈ１は、その後、サービスサーバ３からＬＡＮ回路４２ａを介して提供されたコンテンツを受け付ける。また、Ｗｅｂ画面作成部４２ｈ１は、ＵＳＢインターフェイス４２ｂから、そのＷｅｂ画面の位置と大きさを指定するＷｅｂ画面指定情報を受け付ける。
【０２１６】
Ｗｅｂ画面作成部４２ｈ１は、コンテンツとＷｅｂ画面指定情報とを受け付けると、ステップ１７０２を実行する。
【０２１７】
ステップ１７０２では、Ｗｅｂ画面作成部４２ｈ１は、その受け付けられたコンテンツおよびＷｅｂ画面指定情報に基づいて、そのコンテンツを表示するためのＷｅｂ画面を示すＷＨＣ（ＲＥＱ）を作成する。
【０２１８】
Ｗｅｂ画面作成部４２ｈ１は、その作成されたＷＨＣを、表示制御部４２ｈ８に出力して表示を要求する。Ｗｅｂ画面作成部４２ｈ１は、同時に、表示結果の要求も表示制御部４２ｈ８に対して行う。なお、表示制御部４２ｈ８は、例えば、ＯＳにて実現される。
【０２１９】
表示制御部４２ｈ８は、ＷＨＣ（ＲＥＱ）を受け付けると、その受け付けられたＷＨＣ（ＲＥＱ）を分析して、その分析結果をグラフィック回路４２ｉに提供し、Ｗｅｂ画面をアクティブ化、すなわち、表示する。
【０２２０】
また、表示制御部４２ｈ８は、表示の結果を示すＷＨＣ（ＲＳＴ）をＷｅｂ画面作成部４２ｈ１に発行する。
【０２２１】
ＷＨＣが発行されると、ＷＨＣＧ４２ｈ４は、ステップ１７０３を実行する。
【０２２２】
ステップ１７０３では、ＷＨＣＧ４２ｈ４は、Ｗｅｂ画面作成部４２ｈ１と表示制御部４２ｈ８との間で、ＷＨＣを入手する。ＷＨＣＧ４２ｈ４は、その入手されたＷＨＣを、表示時間測定部４２ｈ５とＷｅｂ画面評価値決定部４２ｈ６とに提供する。
【０２２３】
Ｗｅｂ画面評価値決定部４２ｈ６は、そのＷＨＣを受け付けると、ステップ１７０４および１７０５を実行する。
【０２２４】
ステップ１７０４では、Ｗｅｂ画面評価値決定部４２ｈ６は、その受け付けられたＷＨＣに基づいて、Ｗｅｂ画面の評価値を決定する。
【０２２５】
具体的には、Ｗｅｂ画面評価値決定部４２ｈ６は、まず、その提供されたＷＨＣからベース座標（Ｘｂ、Ｙｂ）１０ｅを読み取る。
【０２２６】
Ｗｅｂ画面評価値決定部４２ｈ６は、ベース座標１０ｅを読み取ると、ステップ１７０６を実行する。
【０２２７】
ステップ１７０６では、Ｗｅｂ画面評価値決定部４２ｈ６は、その読み取られたベース座標１０ｅを含むエリアを、ＰＥＴＢＬ４２ｃ３から選定する。続いて、Ｗｅｂ画面評価値決定部４２ｈ６は、その選定されたエリアに関連づけられた位置評価値を、ＰＥＴＢＬ４２ｃ３から読み取る。
【０２２８】
一方、ステップ１７０５では、Ｗｅｂ画面評価値決定部４２ｈ６は、その提供されたＷＨＣから長狭（Ｘｓ、Ｙｓ）１０ｆを読み取る。続いて、Ｗｅｂ画面評価値決定部４２ｈ６は、その読み取られた長狭１０ｆに基づいて、Ｗｅｂ画面の面積を算出する。具体的には、Ｗｅｂ画面評価値決定部４２ｈ６は、Ｘｓ×Ｙｓを計算してＷｅｂ画面の面積を算出する。
【０２２９】
Ｗｅｂ画面評価値決定部４２ｈ６は、Ｗｅｂ画面の面積を算出すると、ステップ１７０７を実行する。
【０２３０】
ステップ１７０７では、Ｗｅｂ画面評価値決定部４２ｈ６は、予め取得していた表示画面４ａの面積に対するＷｅｂ画面の面積の割合を検出する。
【０２３１】
Ｗｅｂ画面評価値決定部４２ｈ６は、ステップ１７０６および１７０７を終了すると、ステップ１７０８を実行する。
【０２３２】
ステップ１７０８では、Ｗｅｂ画面評価値決定部４２ｈ６は、その算出された割合と、その読み取られた位置評価値と、に基づいて、Ｗｅｂ画面の評価値を決定する。具体的には、Ｗｅｂ画面評価値決定部４２ｈ６は、ＡＰＬごとに、面積割合と位置評価値とを掛け合わせ、その結果を、そのＡＰＬのＷｅｂ画面の評価値とする。
【０２３３】
Ｗｅｂ画面評価値決定部４２ｈ６は、Ｗｅｂ画面の評価値を算出すると、ステップ１７０９を実行する。
【０２３４】
ステップ１７０９では、Ｗｅｂ画面評価値決定部４２ｈ６は、ＡＰＬ識別情報と、そのＡＰＬ識別情報にて特定されるＡＰＬのＷｅｂ画面の評価値と、を互いに関連づけてＰＥＶＤ４２ｃ４に格納する。
【０２３５】
図１８は、複数のＷｅｂ画面が表示されるときのＷｅｂ画面評価値決定動作を説明するための説明図である。なお、図１８において、図４に示したものと同一のものには同一符号を付してある。
【０２３６】
複数のＡＰＬが、サービスサーバ３から提供されたコンテンツを表示する場合、各ＡＰＬに対応するＷｅｂ画面作成部４２ｈ１は、別々にＷＨＣ（ＲＥＱ）を発行する。
【０２３７】
ＯＳにて実現される表示制御部４２ｈ８は、各々のＷＨＣ（ＲＥＱ）を分析して、その分析結果をグラフィック回路４２ｉに提供する。
【０２３８】
また、表示制御部４２ｈ８は、表示の結果を示すＷＨＣ（ＲＳＴ）を各々のＷｅｂ画面作成部４２ｈ１に発行する。
【０２３９】
ＷＨＣＧ４２ｈ４は、各々のＷＨＣ（以降、特にＲＥＱ／ＲＳＴの区別しない）を入手し、その入手されたＷＨＣを、表示時間測定部４２ｈ５とＷｅｂ画面評価値決定部４２ｈ６とに提供する。
【０２４０】
図１９は、複数のＷｅｂ画面が重なって表示されるときのＷｅｂ画面評価値決定動作を説明するための説明図である。なお、図１９において、図４に示したものと同一のものには同一符号を付してある。
【０２４１】
また、図２０は、複数のＷｅｂ画面が重なって表示されるときのＷｅｂ画面評価値決定動作を説明するためのフローチャートである。なお、図２０において、図１７に示した処理と同一の処理には同一符号を付してある。
【０２４２】
以下、図１９および図２０を参照して、複数のＷｅｂ画面が重なって表示されるときのＷｅｂ画面評価値決定動作を説明する。なお、説明の重複を避けるため、図１７に示した動作と異なる点を中心に説明する。
【０２４３】
以下では、ＡＰＬ＃１がＷＨＣを発行した後に、ＡＰＬ＃２が、上位表示の要求（重なり状態：ＵＰ+１）を有するＷＨＣを発行したものとする。
【０２４４】
ＯＳにて実現される表示制御部４２ｈ８は、ＡＰＬ＃２にて発行されたＷＨＣを受け付けると、ステップ２００１を実行する。
【０２４５】
ステップ２００１では、表示制御部４２ｈ８は、その受け付けられたＷＨＣを分析して、ＡＰＬ＃２のＷｅｂ画面の表示プレーンがＡＰＬ＃１のＷｅｂ画面の表示プレーンより上位になる旨の分析結果をグラフィック回路４２ｉに提供し、ＡＰＬ＃２のＷｅｂ画面をアクティブ化、すなわち、表示する。
【０２４６】
ＡＰＬ＃２がＷＨＣを発行すると、ＷＨＣＧ４２ｈ４は、ステップ２００２を実行する。
【０２４７】
ステップ２００２では、ＷＨＣＧ４２ｈ４は、ＡＰＬ＃２が発行したＷＨＣを入手する。ＷＨＣＧ４２ｈ４は、その入手されたＷＨＣを、表示時間測定部４２ｈ５とＷｅｂ画面評価値決定部４２ｈ６とに提供する。
【０２４８】
Ｗｅｂ画面評価値決定部４２ｈ６は、そのＷＨＣを受け付けると、ステップ２００３を実行する。
【０２４９】
ステップ２００３では、Ｗｅｂ画面評価値決定部４２ｈ６は、その受け付けられたＷＨＣに示された重なり状態１０ｂ、ベース座標１０ｅおよび長狭１０ｆと、すでに受け付けられているＡＰＬ＃１から発行されたＷＨＣに示されたベース座標１０ｅおよび長狭１０ｆと、に基づいて、ＡＰＬ＃１のＷｅｂ画面とＡＰＬ＃２のＷｅｂ画面との重畳部分の面積を計算する。
【０２５０】
Ｗｅｂ画面評価値決定部４２ｈ６は、重畳部分の面積を計算すると、ステップ２００４を実行する。
【０２５１】
ステップ２００４では、Ｗｅｂ画面評価値決定部４２ｈ６は、まず、ＡＰＬ＃１から発行されたＷＨＣに示された長狭１０ｆに基づいて、ＡＰＬ＃１のＷｅｂ画面の面積を算出する。その後、Ｗｅｂ画面評価値決定部４２ｈ６は、ＡＰＬ＃１のＷｅｂ画面の面積から重畳部分の面積を差し引いて、実際に表示されているＡＰＬ＃１のＷｅｂ画面の面積を算出する。
【０２５２】
Ｗｅｂ画面評価値決定部４２ｈ６は、実際に表示されているＡＰＬ＃１のＷｅｂ画面の面積を算出すると、ステップ１７０７を実行する。
【０２５３】
図２１は、認識度算出動作を説明するための説明図である。なお、図２１において、図４に示したものと同一のものには同一符号を付してある。
【０２５４】
認識度算出動作は、例えば、定期的に実行される。
【０２５５】
認識度算出動作では、メインＣＰＵ４２ｈは、ＷＥＡＰを実行して、ＣＥＶＤ４２ｃ２に格納された付与点数と、ＰＥＶＤ４２ｃ４に格納されたＷｅｂ画面の評価値と、表示時間測定部４２ｈ５から提供されたＷｅｂ画面の表示時間と、に基づいて、コンテンツに対する視聴者の認識度を算出する。
【０２５６】
メインＣＰＵ４２ｈは、ＡＰＬごとに、その算出結果（コンテンツに対する視聴者の認識度）をＷＤＴＥＤ４２ｃ５に格納する。
【０２５７】
メインＣＰＵ４２ｈ（送信制御部４２ｈ９）は、一定時間（例えば、一日または一週間）ごと、あるいは、認識度を要求する旨の認識度要求を外部のサーバから受け付けると、ＷＤＴＥＤ４２ｃ５に格納された認識度を、ＬＡＮ回路４２ａ経由で、指定されたサーバに送出する。
【０２５８】
サーバに送出された認識度は、各種応用されることが可能である。
【０２５９】
図２２は、本サービスを統括する統括事業者がサービスサーバ３を管理・運営する形態を示した説明図である。なお、図２２において、図１に示したものと同一のものには同一符号を付してある。
【０２６０】
本サービスでは、ＴＶ番組の内容に関連した何らかの関連情報を元に、ＢＢのＷｅｂを用いてビジネスを展開する複数の事業者が存在する。図２２では、それらの事業者は、ＷｅｂＡ事業者からＷｅｂＤ事業者として示されている。
【０２６１】
これらの事業者は、統括事業者（サービスサーバ３）から、自己のＷｅｂ画面に表示されたコンテンツに対する視聴者の認識度を受け付ける。なお、サービスサーバ３が、その認識度を、各事業者に配信してもよい。
【０２６２】
次に、これら４事業者が本システムを用いて行うビジネスについて説明する。
【０２６３】
１）ＷｅｂＡ事業者の事業タイプ
本タイプは、広告事業者が行うビジネスタイプで、ＴＶ局とある程度の情報交換を実施してＴＶ連携を行う。
【０２６４】
図２３は、このタイプを説明するための説明図である。なお、図２３において、図２２に示したものと同一のものには同一符号を付してある。
【０２６５】
図２３において、ＷｅｂＡ事業者は、ＴＶ局より、予めＴＶ番組の内容に関する情報を得る。この内容は、一般に告知される電子番組表（ＥＰＧ）より充実した内容である。ＷｅｂＡ事業者は、ＴＶ番組内で使用される衣服、調度類、食材等のあらゆる物販対象の情報を得て、それらに関連する商品および情報を販売するためのコンテンツをＷｅｂ画面に表示させて、それらをインターネット販売する事業を行う。
【０２６６】
また、ＷｅｂＡ事業者は、広告主から広告料を受け取って、その広告主が希望する広告を、そのコンテンツに掲載する。
【０２６７】
ＷｅｂＡ事業者は、コンテンツに対する視聴者の認識度を、広告料の算出基準に利用する。
【０２６８】
また、ＷｅｂＡ事業者は、コンテンツに対する視聴者の認識度を上げるために、インセンティブを視聴者に還元してもよい。
【０２６９】
２）ＷｅｂＢ事業者の事業タイプ
本タイプは、ＴＶ局が自らあるいはＴＶ局のグループ内の事業体を中心にＷｅｂ事業を行う。
【０２７０】
図２４は、このタイプを説明するための説明図である。なお、図２４において、図２２に示したものと同一のものには同一符号を付してある。
【０２７１】
図２４において、ＴＶ局は、自局のＴＶ番組に関する詳細情報を事前に有しており、ＴＶ番組放送のタイミングにあわせて有利な内容をＷｅｂにて提供できる。したがって、そのＷｅｂは視聴される人気が高くなると思われる。一方、ＴＶ局としてはビジネスの範囲が制限される場合があり、販売品の多くは、番組関連のグッズ、番組ビデオ、書籍等に限られる。なお、ＴＶ番組のスポンサーと競合しなければ、広告を行うことが可能である。
【０２７２】
この場合、ＴＶ局は、コンテンツに対する視聴者の認識度を得ることによって、自局のＷｅｂが如何なる視聴をされているか、どのような関心が視聴者にあるのかを、ＴＶ番組単位で測定することが可能になる。
【０２７３】
また、放送・通信の連携によるサービスをＴＶ局自身が実施する場合、コンテンツに対する視聴者の認識度は、連携の視聴状態をモニターする手段として有効であり、ＴＶ番組の質的向上に役立つ。
【０２７４】
３）ＷｅｂＣ事業者の事業タイプ
本タイプは、ＴＶ局と直接関わらない自主事業を行う。
【０２７５】
図２５は、このタイプを説明するための説明図である。なお、図２５において、図２２に示したものと同一のものには同一符号を付してある。
【０２７６】
図２５において、ＷｅｂＣ事業者は、一般的に入手可能な番組情報（ＥＰＧ等）、あるいは、すでに放送された番組の内容を分析し、番組内容に即した情報あるいは物品に関する情報を提供し、それらを販売したり広告したりするビジネスを行う。
【０２７７】
既に放送された番組でも連続ドラマの前回分等に関しては、視聴者は十分意識できるため、今回分にあわせて前回分もＷｅｂ表示されてもよい。
【０２７８】
このタイプでは、コンテンツに対する視聴者の認識度は特に重要である。ＷｅｂＣ事業者は、直接ＴＶ局から詳細情報を得ていないので、視聴者のニーズを捉えるのに、その認識度は、必須の情報となりえる。
【０２７９】
４）ＷｅｂＤ事業者の事業タイプ
本タイプは、例えば、大手通信販売会社等にて構築可能である。
【０２８０】
図２６は、このタイプを説明するための説明図である。なお、図２６において、図２２に示したものと同一のものには同一符号を付してある。
【０２８１】
図２６において、ＷｅｂＤ事業者は、番組情報雑誌社、ＴＶ局等と共同事業体を設立し、豊富な番組事前情報を入手し、関連情報の生成、販売物品等の事前準備が可能である。
【０２８２】
このシステムでは、広く会員を集め、顧客ＤＢ（データベース）を構築し、会員個人の認識度を蓄積し、その確認の累積ポイントを物品販売の割引にあてる等のインセンティブが可能である。
【０２８３】
各事業者の例を示したように、各種パターンでも、ＴＶ番組の連動するコンテンツに対する視聴者の認識度を用いることによって、ＴＶ放送とＢＢの連携サービスが生かされ、ビジネスの評価に応用することが可能となる。
【０２８４】
本サービスでは、コンテンツに対する視聴者の認識度を用いることによって、表示されているＴＶ番組とコンテンツとのマッチングを評価することが可能になる。
【０２８５】
また、ＴＶ番組と連動したＷｅｂ画面上で表示されるコンテンツは、そのＴＶ番組が表示されていなくても表示可能である。
【０２８６】
また、図２７に示すように、ＴＶ番組と連動したＷｅｂ画面上で表示されるコンテンツは、ＴＶ番組を表示する表示画面と異なる表示画面で表示されてもよい。
【０２８７】
具体的には、ＴＶ画面は表示装置４と異なるＴＶだけで表示され、Ｗｅｂ画面は表示装置（例えば、ＰＣ）４だけで表示される。この場合、デジタルＴＶのようにＬＡＮインターフェイスを有するＴＶがＰＣ（表示装置４）とＬＡＮで結ばれ、ＴＶ番組とＷｅｂ画面との連携が実現される。
【０２８８】
また、Ｗｅｂが表示された時間と、そのＷｅｂと連動するＴＶ番組の表示時間との関係を示す「表示率」なる指標が導入されてもよい。
【０２８９】
この「表示率」は、Ｗｅｂが掲載されているときにＴＶ映像がどのような状態かを示す。例えば、ＴＶ番組と連動したＷｅｂ画面が４時間表示されていたとすると、そのうち何時間、そのＴＶ番組が放送されていたのか、チャンネルはどこか、または録画されたＴＶ番組を見ていたのかを明確にすることが可能になる。
【０２９０】
本実施例によれば、以下のような効果を奏する。
【０２９１】
ブロードバンドの普及でＷｅｂ広告等でより印象度の高い動画ストリーム、動画ファイルのコンテンツが多用され、これらの動画コンテンツを視聴者がＷｅｂ画面上に表示された広告として視聴している場合、視聴の程度、すなわちＷｅｂ画面上での表示ウインドウの大きさ、画面上での位置、視聴時間を測定し、広告等の該当コンテンツの認識度を評価することが可能となる。
【０２９２】
また、放送と通信の連携・融合のサービスにおいて、ＴＶ番組とコンテンツとを独立して表示可能であっても、コンテンツの認識度を測定することが可能になる。
【０２９３】
また、ＰＣあるいはＴＶ画面でのコンテンツの展開状況を把握することが可能になる。
【０２９４】
また、有効表示率なる指標が導入可能となる。
【０２９５】
なお、サービスサーバ３から提供されたコンテンツが、所定の関連コンテンツのＵＲＬを示し、そのＵＲＬがクリックされた際に、その所定の関連コンテンツを示すＷｅｂ画面が表示される場合がある。この場合、新たに表示されたＷｅｂ画面についても、ユーザの認識度が算出されてもよい。
【０２９６】
本実施例によれば、ＷＣＤＧ４２ｈ２がコンテンツの種類を検出すると、評価部４２Ｂは、その検出されたコンテンツの種類に基づいて、そのコンテンツに対する視聴者の認識度を算出する。
【０２９７】
コンテンツの種類に応じて、コンテンツに対するユーザの認識度は変更する可能性が高い。例えば、静止画のコンテンツより動画のコンテンツの方が、ユーザの認識度は高くなることが多い。
【０２９８】
このため、コンテンツの種類に応じて、コンテンツに対するユーザの認識度を算出することが可能になる。よって、テレビ番組と連動して表示されるコンテンツに対するユーザの認識度を高い精度で算出することが可能となる。
【０２９９】
また、本実施例では、評価部４２Ｂは、その検出されたコンテンツの種類に関連づけられたコンテンツ評価値をＣＥＴＢＬ４２ｃ１から読み取り、そのコンテンツ評価値に基づいて認識度を算出する。
【０３００】
この場合、ＣＥＴＢＬ４２ｃ１にて、コンテンツの種類と、その種類のコンテンツの評価値であるコンテンツ評価値とを管理することが可能となる。
【０３０１】
また、本実施例では、コンテンツは、テレビ番組と連動したＷｅｂ画面上で表示され、ＷＨＣＧ４２ｈ４は、Ｗｅｂ画面の大きさと表示位置を検出し、Ｗｅｂ画面評価値決定部４２ｈ６は、それら検出されたＷｅｂ画面の大きさおよび表示位置に基づいて、Ｗｅｂ画面評価値を算出し、ＷＥＡＰ４２ｈ７は、Ｗｅｂ画面評価値とコンテンツ評価値とに基づいて認識度を算出する。
【０３０２】
コンテンツは、大きいＷｅｂ画面上で表示されるほど、そのコンテンツに対するユーザの認識度が高くなる可能性が大きくなり、また、Ｗｅｂ画面の表示位置が目立つ位置であるほど、そのコンテンツに対するユーザの認識度が高くなる可能性が大きくなる。
【０３０３】
このため、ストリーム型のコンテンツに対するユーザの認識度を、高い精度で算出することが可能となる。
【０３０４】
また、本実施例では、Ｗｅｂ画面評価値決定部４２ｈ６は、Ｗｅｂ画面を表示する表示画面の大きさに対するＷｅｂ画面の大きさの割合を検出し、その検出された割合とＷｅｂ画面の表示位置とに基づいて、Ｗｅｂ画面評価値を算出する。
【０３０５】
表示画面の大きさに対するＷｅｂ画面の大きさの割合が高くなるほど、そのコンテンツに対するユーザの認識度が高くなる可能性が大きくなる。
【０３０６】
このため、コンテンツに対するユーザの認識度を、より高い精度で算出することが可能となる。
【０３０７】
また、本実施例では、Ｗｅｂ画面評価値決定部４２ｈ６は、検出されたＷｅｂ画面の表示位置を、その表示位置と関連づけられた位置評価値に変換し、そのＷｅｂ画面の大きさとその位置評価値とに基づいてＷｅｂ画面評価値を算出する。
【０３０８】
例えば、表示位置の目立ち具合に応じて、評価値が設定されると、その評価値は、コンテンツの目立ち具合を示す。
【０３０９】
このため、コンテンツに対するユーザの認識度を、より高い精度で算出することが可能となる。
【０３１０】
また、本実施例では、Ｗｅｂ画面評価値決定部４２ｈ６は、Ｗｅｂ画面を表示する表示画面の大きさに対するＷｅｂ画面の大きさの割合を検出し、その検出された割合と位置評価値とに基づいて、Ｗｅｂ画面評価値を算出する。
【０３１１】
この場合、コンテンツに対するユーザの認識度を、より高い精度で算出することが可能となる。
【０３１２】
また、本実施例では、Ｗｅｂ画面評価値決定部４２ｈ６は、実際に表示されている前記Ｗｅｂ画面の大きさを検出する。
【０３１３】
この場合、例えば、他のＷｅｂ画面が上に重ねられて、実際に表示されているＷｅｂ画面が小さくなっても、その小さくなった画面の大きさに基づいて、コンテンツに対するユーザの認識度を算出することが可能になる。このため、コンテンツに対するユーザの認識度を、より高い精度で算出することが可能となる。
【０３１４】
また、本実施例では、表示時間測定部４２ｈ５は、Ｗｅｂ画面の表示時間を測定し、ＷＥＡＰ４２ｈ７は、さらに、その測定されたＷｅｂ画面の表示時間に基づいて認識度を算出する。
【０３１５】
Ｗｅｂ画面の表示時間が長くなるほど、そのコンテンツに対するユーザの認識度が高くなる可能性が大きくなる。
【０３１６】
このため、コンテンツに対するユーザの認識度を、より高い精度で算出することが可能となる。
【０３１７】
また、送信制御部４２ｈ９は、その算出された認識度を、コンテンツに対するユーザの認識度を管理する管理装置（例えば、サービスサーバ３）へ送信することが望ましい
この場合、管理装置（例えば、サービスサーバ３）は、コンテンツに対するユーザの認識度を、自動的に収集することが可能になる。
【０３１８】
以上説明した実施例において、図示した構成は単なる一例であって、本発明はその構成に限定されるものではない。
【０３１９】
例えば、コンテンツは、テレビ番組と連動するとともにそのテレビ番組と同じ表示画面上に表示されるＷｅｂ画面上で表示され、メインＣＰＵ４２ｈが、テレビ番組の表示が停止された後にＷｅｂ画面が操作される特定操作を検出し、認識度を、さらに、特定操作の検出結果に基づいて算出してもよい。
【０３２０】
特定操作が実行された際には、ユーザの関心が、テレビ番組からコンテンツに移った可能性が高い。このため、この場合、コンテンツに対するユーザの認識度を、より高い精度で算出することが可能となる。
【０３２１】
また、ＣＥＴＢＬ４２ｃ１は、図５に示したものに限らず適宜変更可能である。
【０３２２】
また、ＰＥＴＢＬ４２ｃ３は、図７に示したものに限らず適宜変更可能である。
【図面の簡単な説明】
【０３２３】
【図１】本発明の一実施例の評価システムを示したブロック図である。
【図２】表示装置４の一例を示したブロック図である。
【図３】表示装置４の主要なソフトウェアを示した説明図である。
【図４】メインＣＰＵ４２ｈの機能を示したブロック図である。
【図５】ＣＥＴＢＬ４２ｃ１の一例を示した説明図である。
【図６】ＣＥＶＤ４２ｃ２の一例を示した説明図である。
【図７】ＰＥＴＢＬ４２ｃ３の一例を示した説明図である。
【図８】ＰＥＶＤ４２ｃ４の一例を示した説明図である。
【図９】ＷＤＴＥＤ４２ｃ５の一例を示した説明図である。
【図１０】ＷＨＣの要部を示した説明図である。
【図１１】ベース座標１０ｅと長狭１０ｆを説明するための説明図である。
【図１２】コンテンツ評価値決定動作の概要を説明するための説明図である。
【図１３】Ｗｅｂ画面評価値決定動作の概要を説明するための説明図である。
【図１４】認識度算出動作の概要を説明するための説明図である。
【図１５】コンテンツ評価値決定動作を説明するための説明図である。
【図１６】Ｗｅｂ画面評価値決定動作を説明するための説明図である。
【図１７】Ｗｅｂ画面評価値決定動作を説明するためのフローチャートである。
【図１８】複数のＷｅｂ画面が表示されるときのＷｅｂ画面評価値決定動作を説明するための説明図である。
【図１９】複数のＷｅｂ画面が重なって表示されるときのＷｅｂ画面評価値決定動作を説明するための説明図である。
【図２０】複数のＷｅｂ画面が重なって表示されるときのＷｅｂ画面評価値決定動作を説明するためのフローチャートである。
【図２１】認識度算出動作を説明するための説明図である。
【図２２】本サービスを統括する統括事業者がサービスサーバ３を管理・運営する形態を示した説明図である。
【図２３】広告事業者が行うビジネスタイプを説明するための説明図である。
【図２４】ＴＶ局が自らあるいはＴＶ局のグループ内の事業体を中心にＷｅｂ事業を行うタイプを説明するための説明図である。
【図２５】ＴＶ局と直接関わらない自主事業を行うタイプを説明するための説明図である。
【図２６】大手通信販売会社等にて構築可能なタイプを説明するための説明図である。
【図２７】ＴＶ番組とＷｅｂ画面が異なる画面で表示される例を示した説明図である。
【図２８】ＴＶ番組と連携Ｗｅｂ画面とを同時に表示する表示システムの一例を示したブロック図である。
【図２９】ＴＶ番組と連携Ｗｅｂ画面とを同時に表示する表示システムの複数の例を示した説明図である。
【図３０】ＴＶ画面と連携Ｗｅｂ画面とを同時に表示する一例を示した説明図である。
【符号の説明】
【０３２４】
１        ＴＶ局
２        関連情報ＤＢ
３        サービスサーバ
４        表示装置
４ａ      表示画面
４１      デジタル放送受信系回路
４１ａ    デジタル地上波チューナ
４１ｂ    ＢＳデジタルチューナ
４１ｃ    ＣＡＳ
４１ｄ    ＤＥＭＵＸ
４１ｅ    サブＣＰＵ
４２      情報通信処理系回路
４２Ａ    算出部
４２Ｂ    評価部
４２ａ    ＬＡＮ回路
４２ｂ    ＵＳＢインターフェイス
４２ｃ    ＨＤＤ
４２ｃ１  ＣＥＴＢＬ
４２ｃ２  ＣＥＶＤ
４２ｃ３  ＰＥＴＢＬ
４２ｃ４  ＰＥＶＤ
４２ｃ５  ＷＤＴＥＤ
４２ｄ    ＨＤＤ制御部
４２ｅ    制御回路
４２ｆ    Ｖ−ＲＡＭ
４２ｇ    ＲＡＭ
４２ｈ    メインＣＰＵ
４２ｈ１  Ｗｅｂ画面作成部
４２ｈ２  ＷＣＤＧ
４２ｈ３  コンテンツ評価値決定部
４２ｈ４  ＷＨＣＧ
４２ｈ５  表示時間測定部
４２ｈ６  Ｗｅｂ画面評価値決定部
４２ｈ７  ＷＥＡＰ
４２ｈ８  表示制御部
４２ｈ９  送信制御部
４２ｉ  グラフィック回路
４３    表示系回路
４３ａ  ＡＣＣデコーダ
４３ｂ  ＭＰＥＧ２デコーダ
４３ｃ  合成回路
４４    バス
４５    ＬＣＤ
４６    スピーカ
４Ａ    ハードウエア群
４Ａ１  ＴＶチューナ
４Ｂ    ドライバー群
４Ｂ１  ＴＶハード制御
４Ｂ２  ＮＷ制御
４Ｂ３  ＨＤＤ制御
４Ｂ４  マウス制御
４Ｃ    ミドルウエア群
４Ｃ１  ＴＶ制御
４Ｃ２  Ｗｅｂ表示
４Ｃ３  ＴＶ・通信連携制御
４Ｃ４  ウインドウ画面処理
４Ｃ５  マウス等入力制御
４Ｃ６  ＷＣＤＧ
４Ｃ７  ＷＨＣＧ
４Ｄ    アプリ群
４Ｄ１  ＴＶ表示ＡＰＬ
４Ｄ２  表示コンテンツ計算ＡＰＬ
４Ｄ３  表示面積計算ＡＰＬ
４Ｄ４  表示ポイント蓄積・報告ＡＰＬ
４Ｄ５  ＷＥＡＰ
４Ｅ    ＯＳ
４Ｆ    ＡＰＩ
【図１】
0004679318.tif 000002
【図２】
0004679318.tif 000003
【図３】
0004679318.tif 000004
【図４】
0004679318.tif 000005
【図５】
0004679318.tif 000006
【図６】
0004679318.tif 000007
【図７】
0004679318.tif 000008
【図８】
0004679318.tif 000009
【図９】
0004679318.tif 000010
【図１０】
0004679318.tif 000011
【図１１】
0004679318.tif 000012
【図１２】
0004679318.tif 000013
【図１３】
0004679318.tif 000014
【図１４】
0004679318.tif 000015
【図１５】
0004679318.tif 000016
【図１６】
0004679318.tif 000017
【図１７】
0004679318.tif 000018
【図１８】
0004679318.tif 000019
【図１９】
0004679318.tif 000020
【図２０】
0004679318.tif 000021
【図２１】
0004679318.tif 000022
【図２２】
0004679318.tif 000023
【図２３】
0004679318.tif 000024
【図２４】
0004679318.tif 000025
【図２５】
0004679318.tif 000026
【図２６】
0004679318.tif 000027
【図２７】
0004679318.tif 000028
【図２８】
0004679318.tif 000029
【図２９】
0004679318.tif 000030
【図３０】
0004679318.tif 000031